(57)【要約】  抄紙機に使用する溝を有する有孔層を提供する。溝（８）は、層を横切って圧力低下を減少するように有孔層（６）の表面の流動を拡散させる機能を有し、これにより、微粉の移動が減少する。この様式において、この微粉に関連した明／暗パターンは、回避され、得られる紙シートの質は、向上される。
2007531826.tif 000002
【特許請求の範囲】
【請求項１】
複数の島領域と；
複数の溝領域と；
複数の孔と；
を有することを特徴とする抄紙機用布に使用する層。
【請求項２】
前記溝領域は、平面に存在することを特徴とする請求項１に記載の層。
【請求項３】
前記島領域は、平面に存在することを特徴とする請求項１に記載の層。
【請求項４】
前記溝領域は、平面に存在し、
前記島領域は、平面に存在する、
ことを特徴とする請求項１に記載の層。
【請求項５】
前記溝領域の平面と、前記島領域の平面とは、平行であることを特徴とする請求項４に記載の層。
【請求項６】
機械方向に０°を越える角度で配置された一連の溝領域を有することを特徴とする請求項１に記載の層。
【請求項７】
前記の一連の溝領域は、斜交平行模様であることを特徴とする請求項１に記載の層。
【請求項８】
前記孔は、前記島領域及び前記溝領域の両方に分散され、
１つ以上の前記孔は、島領域と溝領域との境界に渡って存在することを特徴とする請求項１に記載の層。
【請求項９】
前記孔は、前記溝領域にのみ存在することを特徴とする請求項１に記載の層。
【請求項１０】
前記孔は、前記島領域にのみ存在することを特徴とする請求項１に記載の層。
【請求項１１】
複数の島領域と、複数の溝領域とを有する改変された基礎材料を形成するように、基礎材料に複数の溝を形成するステップと；
前記の改変された基礎材料に複数の孔を形成するように、前記の改変された基礎材料に孔を開けるステップと；
を有することを特徴とする抄紙機用布に使用する層を形成する方法。
【請求項１２】
前記溝領域は、平面に存在することを特徴とする請求項１１に記載の方法。
【請求項１３】
前記島領域は、平面に存在することを特徴とする請求項１１に記載の方法。
【請求項１４】
前記溝領域は、平面に存在し、
前記島領域は、平面に存在する、
ことを特徴とする請求項１１に記載の方法。
【請求項１５】
前記溝領域の平面と、前記島領域の平面とは、平行であることを特徴とする請求項１４に記載の方法。
【請求項１６】
機械方向に０°を越える角度で配置された一連の溝領域を有することを特徴とする請求項１１に記載の方法。
【請求項１７】
前記の一連の溝領域は、斜交平行模様であることを特徴とする請求項１６に記載の方法。
【請求項１８】
前記孔は、前記島領域及び前記溝領域の両方に分散され、
１つ以上の前記孔は、島領域と溝領域との境界に渡って存在することを特徴とする請求項１１に記載の方法。
【請求項１９】
前記孔は、前記溝領域にのみ存在することを特徴とする請求項１１に記載の方法。
【請求項２０】
前記孔は、前記島領域にのみ存在することを特徴とする請求項１１に記載の方法。
【請求項２１】
複数の島領域と複数の溝領域とを有する改変された基礎材料を形成するように基礎材料に複数の溝を形成し、前記の改変された基礎材料に複数の孔を形成するように孔を開けることにより、形成されたことを特徴とする抄紙機用布に使用する層。
【請求項２２】
前記溝領域は、平面に存在することを特徴とする請求項２１に記載の層。
【請求項２３】
前記島領域は、平面に存在することを特徴とする請求項２１に記載の層。
【請求項２４】
前記溝領域は、平面に存在し、
前記島領域は、平面に存在する、
ことを特徴とする請求項２１に記載の層。
【請求項２５】
前記溝領域の平面と、前記島領域の平面とは、平行であることを特徴とする請求項２４に記載の層。
【請求項２６】
機械方向に０°を越える角度で配置された一連の溝領域を有することを特徴とする請求項２１に記載の層。
【請求項２７】
前記の一連の溝領域は、斜交平行模様であることを特徴とする請求項２６に記載の層。
【請求項２８】
前記孔は、前記島領域及び前記溝領域の両方に分散され、
１つ以上の前記孔は、島領域と溝領域との境界に渡って存在することを特徴とする請求項２１に記載の層。
【請求項２９】
前記孔は、前記溝領域にのみ存在することを特徴とする請求項２１に記載の層。
【請求項３０】
前記孔は、前記島領域にのみ存在することを特徴とする請求項２１に記載の層。
【請求項３１】
複数の島領域と；
複数の溝領域と；
複数の孔と；
を有する層を備えることを特徴とする抄紙機用プレス布。
【請求項３２】
前記溝領域は、平面に存在することを特徴とする請求項３１に記載のプレス布。
【請求項３３】
前記島領域は、平面に存在することを特徴とする請求項３１に記載のプレス布。
【請求項３４】
前記溝領域は、平面に存在し、
前記島領域は、平面に存在する、
ことを特徴とする請求項３１に記載のプレス布。
【請求項３５】
前記溝領域の平面と、前記島領域の平面とは、平行であることを特徴とする請求項３４に記載のプレス布。
【請求項３６】
機械方向に０°を越える角度で配置された一連の溝領域を有することを特徴とする請求項３１に記載のプレス布。
【請求項３７】
前記の一連の溝領域は、斜交平行模様であることを特徴とする請求項３６に記載のプレス布。
【請求項３８】
前記孔は、前記島領域及び前記溝領域の両方に分散され、
１つ以上の前記孔は、島領域と溝領域との境界に渡って存在することを特徴とする請求項３１に記載のプレス布。
【請求項３９】
前記孔は、前記溝領域にのみ存在することを特徴とする請求項３１に記載のプレス布。
【請求項４０】
前記孔は、前記島領域にのみ存在することを特徴とする請求項３１に記載のプレス布。
【発明の詳細な説明】
【技術分野】
【０００１】
本発明は、製紙技術に関する。特に、本発明は、抄紙機のプレス部用のプレス布に関する。
【背景技術】
【０００２】
紙の製造は、木材の処理から始める。木材は、２つの主要な成分、つまりセルロースとリグニンとから主になり、これら両者とも、有機物であって、その分子は、炭素原子の側鎖及び環の周囲に構築される。セルロースは、植物細胞の細胞壁に見出され、紙の製造に使用される繊維材料である。リグニンは、セルロース繊維をともに保持する一種の接着剤として機能する複合巨大分子であって、細胞壁を強化し、木材に機械的強度を与える。木材から製紙に適したパルプへと変換するため、セルロース繊維は、リグニンから遊離される必要がある。
【０００３】
製紙工程において、セルロース繊維ウェブは、繊維スラリー、つまりセルロース繊維の水性分散液を抄紙機の形成部において移動する形成布上に堆積させて、形成される。このスラリーからは、形成布を介して大量の水が排出され、形成布の表面上にセルロース製繊維ウェブが残存する。
【０００４】
新規に形成されたセルロース製繊維ウェブは、形成部から一連のプレスニップを有するプレス部へと進む。このセルロース製繊維ウェブは、プレス布、又は場合によっては、斯かる２つのプレス布の間で支持されたプレスニップを通過する。プレスニップにおいて、セルロース製繊維ウェブには、圧縮力がかけられ、そこから水を絞り出し、セルロース製繊維ウェブから紙シートへとかえるように互いにウェブにおいてセルロース繊維を接着する。この水は、プレス布で受容され、理想的には、紙シートに戻らない。
【０００５】
この紙シートは、蒸気で内的に加熱される、少なくとも一連の回転可能な乾燥ドラム又はシリンダーを有する乾燥部へと最終的に進む。新規に形成された紙シートは、乾燥布により上記の一連のドラムの周囲で連続して配置されるセルペンタイン路（ｓｅｒｐｅｎｔｉｎｅ  ｐａｔｈ）に向けられ、これは、ドラムの表面に対して近接して紙シートを保持する。加熱されたドラムは、紙シートの水分含量を、蒸発により、所望のレベルにまで低下させる。
【０００６】
当然のことながら、形成布、プレス布及び乾燥布は、全て、抄紙機においてエンドレスループの形態であって、コンベアの機能を有する。さらに、当然のことながら、紙製造は、かなりの速度で進行する連続工程である。つまり、繊維スラリーは、形成部において形成布上に連続して堆積される一方で、新規に製造された紙シートは、乾燥部を出た後、ロール上に連続して巻き取られる。
【０００７】
本発明は、プレス部に使用されるプレス布に特に関する。プレス布は、紙製造工程において重要な役割を演じる。これらの機能の一つとして、上述したように、プレスニップを介して製造された紙製品を支持し且つ運搬することが挙げられる。
【０００８】
また、プレス布は、紙シートの表面の最終仕上げにも関与する。つまり、プレス布は、プレス布を介して通過する間に平滑でマークのない表面が紙に補完されるように、平滑な表面と均一な弾力性を有するように、設計される。
【０００９】
おそらく最も重要なことに、プレス布は、プレスニップにおいて湿潤した紙から抽出された大量の水を受容する。この機能を担うため、水が通過するプレス布の内部で、いわゆるボイド容量（ｖｏｉｄ  ｖｏｌｕｍｅ）と称される空間を文字通り有する必要があり、また、プレス布は、実用的な寿命の間、水に対して十分な透過性を有する必要がある。最後に、プレス布は、湿潤した紙から受容した水がプレスニップから出て紙に再び戻り再度湿潤させることを阻止し得る必要がある。
【００１０】
現在のプレス布は、製造される紙のグレードに合わせて導入される抄紙機の要件を満たすように種々の広範な様式で製造される。一般的に、プレス布は、微細な不織繊維材料のバットをニードルパンチして基礎織布を有する。この基礎織布は、単繊維、諸より単繊維、多重フィラメント又は諸より多重フィラメントヤーンから織られてもよく、単一層であっても、多重層であっても、積層体であってもよい。このヤーンは、抄紙機用の布技術において当業者により上述の目的で使用されるポリアミドやポリエステル樹脂などの複数の合成ポリマー樹脂のいずれかから典型的に成形される。
【００１１】
この基礎織布は、それ自体、多くの異なる形態をとる。例えば、エンドレスの形態に織られてもよく、平織りであってもよく、織り継目を有するエンドレスな形態とされてもよい。代替的に、基礎織布は、改変されたエンドレス織り（ｗｅａｖｉｎｇ）として一般的に知られる工程により、製造されてもよく、この基礎織布の幅方向の端部には、機械方向（ＭＤ）のヤーンを用いて継目ループが設けられる。この目的において、このＭＤヤーンは、端部で裏返してこの布の幅方向の端部間を前後して連続に織り、継目ループを形成する。この様式で製造される基礎布は、抄紙機に導入される間、エンドレスの形態で載置される。そのため、機械上で継目可能な布と称される。このように布をエンドレスの形態に載置するため、布の幅方向の２つの端部をともにとり、この２つの端部における継目ループは、互いに噛み合わされ、噛み合わされた継目ループにより形成された通路を介して、継ぎ合わせピン又はピントルが挿入される。
【００１２】
さらに、プレス布は、複数の層で形成されてもよい。例えば、プレス布は、織基礎層及び互いに積層された中間層を有してもよい。このような布のひとつに、Ａｌｂａｎｙ  Ｉｎｔｅｒｎａｔｉｏｎａｌ社のＡｐｅｒｔｅｃｈ（登録商標）プレス布がある。このプレス布は、基礎織布とポリマー層とを有する。Ａｐｅｒｔｅｃｈ（登録商標）のポリマー層は、有孔であり、これを図１に示す。図１は、このポリマー層の紙側の平面図であって、ポリマー層を符号２で示し、孔を符号４で示す。図１から明らかなように、表面２は、平滑で、この孔は、この表面の全体に均一に配置されている。
【００１３】
本発明は、Ａｐｅｒｔｅｃｈ（登録商標）布に使用される層のような、抄紙機用布の有孔層の性能向上に関する。
【発明の開示】
【発明が解決しようとする課題】
【００１４】
本発明の発明者は、有孔層を有する抄紙機用布の適用例のいくつかで、紙シートに有孔層の孔パターンが反復していることを見出した。本発明の発明者は、斯かるマークは、紙ウェブにおける比較的高密度のリグニンを有する微粉が集積して起こることをさらに見出した。さらに、この紙における孔パターンの反復は、微粉の遊離を発生する孔を介して流動密度と、これに関連した、紙の明／暗のコントラストを有する領域を発生させるリグニンによるものである。
【００１５】
抄紙機用布の有孔層により発生する特定の適用例における問題の観点から、本発明の目的とするところは、層を横切った圧力低下を低下させるように有孔層の表面における流動性を拡散し、これにより、孔を介した流動濃度を減少させ、従って、紙ウェブにおける微粉の移動を減少させることである。この目的を達成するため、溝付きの有孔層を提供する。この溝は、流動性を拡散し、微粉の移動を減少させて、微粉に関連した明／暗パターンを回避し、得られる紙シートの質を向上させる。
【発明を実施するための最良の形態】
【００１６】
本発明の好適実施例について、抄紙機用布の点で、説明する。しかしながら、注目すべきは、本発明は、布の表面を横切って流体が拡散する現象が布の特性を向上させるその他の工業的な設定に使用される布と同様に、抄紙機の他の部分に使用する布にも適用可能である点である。本発明が適用可能なその他の布の種類のいくつかの例には、抄紙機用形成布、抄紙機用乾燥布、空気透過（ｔｈｒｏｕｇｈ−ａｉｒ）乾燥布及びパルプ形成布が挙げられる。本発明が適用可能な布の種類のその他の例としては、ウェットレイド、ドライレイド、メルトブローン及び／又はスパンボンド工程における不織布を製造するのに使用されるような加工布が挙げられる。
【００１７】
図２は、本発明による有孔層の部位に係る平面図である。図２から明らかなように、有孔層には、多数の島領域１０、多数の溝領域８及び多数の孔６が含まれる。溝領域は、島領域が存在する平面の下部の平面に存在する。この層の断面図を図５に示す。
【００１８】
図５を参照すると、明らかなように、溝領域の平面は、この層の上部表面２４の下の距離ｔに存在する。溝領域は、この溝深さを規定する。明らかなように、この溝深さは、この層の全体の厚さＴの約１／４程度である。なお、この全体の厚さは、島領域の平面を規定する上部表面から下部表面２６への距離を規定するものである。以下、明確に表現するため、４つの孔２８についてのみ図５に示す。
【００１９】
注目すべきは、溝深さは、上述の全体の厚さの１／４に限定されないことであって、層を形成するのに使用する材料や最終的な層の所望する特性によって、変更されてもよい。また、注目すべきは、溝領域について均一な深さを有するように述べたが、表面の平面に平行した単一の平面に溝領域が横切るような場合のように、溝領域の深さを変更したものも本発明の実施例として含まれる。つまり、代替的な実施例において、溝領域は、平面に存在せず、或いは上部表面の平面又は下部表面の平面のいずれにも平行でない平面に存在する。さらに、島領域の高さは、上述の層の上部表面が平坦でない構造を有し且つ島領域がもはや単一の平面に存在しないように、変更されることも可能である。さらに、注目すべきは、図２に示す実施例において、複数の孔は、部分的に溝に存在し、且つ部分的に島に存在する。各孔は、溝の全体又は島の全体のいずれかに存在し溝／島の境界を横切って存在する孔がないように、上述の層を形成することも可能である。いずれにしても、孔は、溝が形成される前、又は形成された後のいずれかに、形成されてもよい。
【００２０】
また、溝は、機械方向に一定の角度を有することも可能である。さらに、斜交平行模様状態に、互いに一定の角度で２つの一連の溝を存在させることも可能である。
【００２１】
図３は、本発明の他の実施例による有孔層の部位に係る平面図である。図３から明らかなように、全ての孔１２は、溝領域１４に限定されており、島領域１０には、孔は存在しない。図３において、図２の実施例と関連して述べた全ての変法は、孔の配置に関する変法を除いて、適用可能である。
【００２２】
図４は、本発明のさらに他の実施例による有孔層の部位に係る平面図である。図４から明らかなように、全ての孔１８は、島領域２２に限定されており、溝領域２０に孔は存在しない。図２の実施例と関連して述べた全ての変法は、孔の配置に関する変法を除いて、図４の実施例に適用可能である。
【００２３】
上述の各実施例に拘わらず、抄紙機用プレス布を達成するため、本発明による溝付き有孔層とその他の層とを組み合わせることも、好ましい。例えば、本発明による溝付き有孔層は、Ａｐｅｒｔｅｃｈ（登録商標）の有孔層の変わりに「ｇｒｏｏｖｅｄ  Ａｐｅｒｔｅｃｈ（登録商標）」を構築するように、変更されてもよい。
【００２４】
いずれの実施例においても、本発明は、抄紙機用布の有孔層の表面における流動性を拡散する。この流動性の拡散は、層を横切る圧力低下を減少させ、これにより、斯かる移動性を紙シートに与える明／暗パターンを減少／回避する効果を有する微粉の移動を減少させる。
【００２５】
本発明の改変は、本願の開示内容の点で、当業者に明らかであるが、このような改変は、本願に添付した本発明の特許請求の範囲を逸脱させるものではない。
【図面の簡単な説明】
【００２６】
【図１】関連技術における抄紙機用布の有孔層の平面図
【図２】本発明の実施例による有孔層の平面図
【図３】本発明の他の実施例による有孔層の平面図
【図４】本発明のさらに別の実施例による有孔層の平面図
【図５】本発明による有孔層の断面図
【符号の説明】
【００２７】
２      表面
６      孔
８      溝領域
１０    島領域
１２    孔
１４    溝領域
１６    島領域
１８    孔
２０    溝領域
２２    島領域
２４    上部表面
２６    下部表面
２８    孔
ｔ      距離
Ｔ      厚さ
【図１】
2007531826.tif 000003
【図２】
2007531826.tif 000004
【図３】
2007531826.tif 000005
【図４】
2007531826.tif 000006
【図５】
2007531826.tif 000007
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
抄紙機用布に使用する層であって、
複数の島領域と；
複数の溝領域と；
当該層の上部表面から下部表面へと伸びる複数の孔と；
を有し、
前記島領域、前記溝領域及び前記孔を組み合わせて、前記紙シート上のパターン形成を最小限とすることを特徴とする抄紙機用布に使用する層。
【請求項２】
前記溝領域は、平面に存在することを特徴とする請求項１に記載の層。
【請求項３】
前記島領域は、平面に存在することを特徴とする請求項１に記載の層。
【請求項４】
前記溝領域は、平面に存在し、
前記島領域は、平面に存在する、
ことを特徴とする請求項１に記載の層。
【請求項５】
前記溝領域の平面と、前記島領域の平面とは、平行であることを特徴とする請求項４に記載の層。
【請求項６】
機械方向に０°を越える角度で配置された一連の溝領域を有することを特徴とする請求項１に記載の層。
【請求項７】
前記の一連の溝領域は、斜交平行模様であることを特徴とする請求項６に記載の層。
【請求項８】
前記孔は、前記島領域及び前記溝領域の両方に分散され、
１つ以上の前記孔は、島領域と溝領域との境界に渡って存在することを特徴とする請求項１に記載の層。
【請求項９】
前記孔は、前記溝領域にのみ存在することを特徴とする請求項１に記載の層。
【請求項１０】
前記孔は、前記島領域にのみ存在することを特徴とする請求項１に記載の層。
【請求項１１】
複数の島領域と、複数の溝領域とを有する改変された基礎材料を形成するように、基礎材料に複数の溝を形成するステップと；
前記の改変された基礎材料に、上部表面から下部表面へと伸びる複数の孔を形成するように、前記の改変された基礎材料に孔を開けるステップと；
を有し、
前記島領域、前記溝領域及び前記孔を組み合わせて、前記紙シート上のパターン形成を最小限とすることを特徴とする抄紙機用布に使用する層を形成する方法。
【請求項１２】
前記溝領域は、平面に存在することを特徴とする請求項１１に記載の方法。
【請求項１３】
前記島領域は、平面に存在することを特徴とする請求項１１に記載の方法。
【請求項１４】
前記溝領域は、平面に存在し、
前記島領域は、平面に存在する、
ことを特徴とする請求項１１に記載の方法。
【請求項１５】
前記溝領域の平面と、前記島領域の平面とは、平行であることを特徴とする請求項１４に記載の方法。
【請求項１６】
機械方向に０°を越える角度で配置された一連の溝領域を有することを特徴とする請求項１１に記載の方法。
【請求項１７】
前記の一連の溝領域は、斜交平行模様であることを特徴とする請求項１６に記載の方法。
【請求項１８】
前記孔は、前記島領域及び前記溝領域の両方に分散され、
１つ以上の前記孔は、島領域と溝領域との境界に渡って存在することを特徴とする請求項１１に記載の方法。
【請求項１９】
前記孔は、前記溝領域にのみ存在することを特徴とする請求項１１に記載の方法。
【請求項２０】
前記孔は、前記島領域にのみ存在することを特徴とする請求項１１に記載の方法。
【請求項２１】
複数の島領域と複数の溝領域とを有する改変された基礎材料を形成するように基礎材料に複数の溝を形成し、前記の改変された基礎材料に、上部表面から下部表面へと伸びる複数の孔を形成するように孔を開けることにより、形成された、抄紙機用布に使用する層であって、
前記島領域、前記溝領域及び前記孔を組み合わせて、前記紙シート上のパターン形成を最小限とすることを特徴とする抄紙機用布に使用する層。
【請求項２２】
前記溝領域は、平面に存在することを特徴とする請求項２１に記載の層。
【請求項２３】
前記島領域は、平面に存在することを特徴とする請求項２１に記載の層。
【請求項２４】
前記溝領域は、平面に存在し、
前記島領域は、平面に存在する、
ことを特徴とする請求項２１に記載の層。
【請求項２５】
前記溝領域の平面と、前記島領域の平面とは、平行であることを特徴とする請求項２４に記載の層。
【請求項２６】
機械方向に０°を越える角度で配置された一連の溝領域を有することを特徴とする請求項２１に記載の層。
【請求項２７】
前記の一連の溝領域は、斜交平行模様であることを特徴とする請求項２６に記載の層。
【請求項２８】
前記孔は、前記島領域及び前記溝領域の両方に分散され、
１つ以上の前記孔は、島領域と溝領域との境界に渡って存在することを特徴とする請求項２１に記載の層。
【請求項２９】
前記孔は、前記溝領域にのみ存在することを特徴とする請求項２１に記載の層。
【請求項３０】
前記孔は、前記島領域にのみ存在することを特徴とする請求項２１に記載の層。
【請求項３１】
層を備える抄紙機用プレス布であって、前記層は：
複数の島領域と；
実質的に機械方向に配列された複数の溝領域と；
前記層の上部表面から下部表面へと伸びる複数の孔と；
を有し、
前記島領域、前記溝領域及び前記孔を組み合わせて、前記紙シート上のパターン形成を最小限とすることを特徴とする抄紙機用プレス布。
【請求項３２】
前記溝領域は、平面に存在することを特徴とする請求項３１に記載のプレス布。
【請求項３３】
前記島領域は、平面に存在することを特徴とする請求項３１に記載のプレス布。
【請求項３４】
前記溝領域は、平面に存在し、
前記島領域は、平面に存在する、
ことを特徴とする請求項３１に記載のプレス布。
【請求項３５】
前記溝領域の平面と、前記島領域の平面とは、平行であることを特徴とする請求項３４に記載のプレス布。
【請求項３６】
前記の一連の溝領域は、斜交平行模様であることを特徴とする請求項３１に記載のプレス布。
【請求項３７】
前記孔は、前記島領域及び前記溝領域の両方に分散され、
１つ以上の前記孔は、島領域と溝領域との境界に渡って存在することを特徴とする請求項３１に記載のプレス布。
【請求項３８】
前記孔は、前記溝領域にのみ存在することを特徴とする請求項３１に記載のプレス布。
【請求項３９】
前記孔は、前記島領域にのみ存在することを特徴とする請求項３１に記載のプレス布。
【手続補正２】
【補正対象書類名】明細書
【補正対象項目名】００１２
【補正方法】変更
【補正の内容】
【００１２】
さらに、プレス布は、複数の層で形成されてもよい。例えば、プレス布は、織基礎層及び互いに積層された中間層を有してもよい。このような布のひとつに、Ａｌｂａｎｙ  Ｉｎｔｅｒｎａｔｉｏｎａｌ社のＡｐｅｒｔｅｃｈ（登録商標）プレス布がある。このプレス布は、基礎織布とポリマー層とを有する。Ａｐｅｒｔｅｃｈ（登録商標）のポリマー層は、有孔であり、これを図１に示す。図１は、このポリマー層の紙側の平面図であって、ポリマー層を符号１で示し、孔を符号４で示す。図１から明らかなように、表面１は、平滑で、この孔は、この表面の全体に均一に配置されている。
【手続補正３】
【補正対象書類名】明細書
【補正対象項目名】００２７
【補正方法】変更
【補正の内容】
【００２７】
１      表面
６      孔
８      溝領域
１０    島領域
１２    孔
１４    溝領域
１６    島領域
１８    孔
２０    溝領域
２２    島領域
２４    上部表面
２６    下部表面
２８    孔
ｔ      距離
Ｔ      厚さ
【国際調査報告】
2007531826.tif 000008
2007531826.tif 000009
2007531826.tif 000010